(57)【要約】【課題】ダンパユニットが氷結することにより開閉動作不良になるのを防いで、ダンパユニットを暖めるためのヒータの消費電力量を抑えることができる冷蔵庫を提供する。【解決手段】冷蔵庫１は、冷蔵庫１の本体２の冷蔵室５と冷凍室の冷却を切り替えるダンパユニット７０を有し、冷蔵庫１内のダクトである冷気吹出しダクト１００内の温度差により露付きが発生して上側から下側へ落水した時の水の流れを誘導するためのガイド部１３０を、冷気吹出しダクト１００に設けている。【選択図】図６
2014137150.tif 000002
【特許請求の範囲】
【請求項１】
冷蔵庫本体の冷蔵室と冷凍室の冷却を切り替えるダンパユニットを有し、前記冷蔵庫内のダクト内の温度差により露付きが発生して上側から下側へ落水した時の水の流れを誘導するためのガイド部を、前記ダクトに設けたことを特徴とする冷蔵庫。
【請求項２】
前記ダクトは、前記ガイド部により誘導された前記水を受け取るための水受け部を有することを特徴とする請求項１に記載の冷蔵庫。
【請求項３】
前記ダクトは、前記水受け部からの前記水を排水する排水経路を有することを特徴とする請求項２に記載の冷蔵庫。
【請求項４】
前記水が、前記排水経路を経て前記ダクトの外部に排出されることを特徴とする請求項３に記載の冷蔵庫。
【請求項５】
前記ダクトには、前記ダンパユニットの上方の位置にされて、冷気を前記冷蔵室内に吹き出すための吹出し口が設けられていることを特徴とする請求項１ないし４のいずれかに記載の冷蔵庫。
【請求項６】
前記冷気を作るための冷却器が、前記ダンパユニットの下側に配置されていることを特徴とする請求項５に記載の冷蔵庫。
【請求項７】
前記ダクトにおける前記ガイド部の領域での流路面積は、前記ダクトにおける前記ガイド部の領域の上側の領域での流路面積と同じであることを特徴とする請求項４ないし６のいずれかに記載の冷蔵庫。
【請求項８】
前記ダンパユニットの周囲の前記排水経路には、連続気泡を有する透水性の断熱材が配置されていることを特徴とする請求項１ないし７のいずれかに記載の冷蔵庫。
【発明の詳細な説明】
【技術分野】
【０００１】
本発明の実施の形態は、冷蔵庫に関する。
【背景技術】
【０００２】
冷蔵庫の内部には、冷蔵室と冷凍室を交互に冷気を供給して冷却するために、ダンパユニットを有する吹出しダクトと、冷却器等が設けられている。ダンパユニットの開閉板が氷結してダクトの開閉動作不良が発生するのを防止するために、ダンパユニットの周囲には氷結防止ヒータを配置して、ダンパユニットを暖めることで開閉板の氷結を防止している（特許文献１を参照）。
【先行技術文献】
【特許文献】
【０００３】
【特許文献１】特開２００８−３０４１６５号
【発明の概要】
【発明が解決しようとする課題】
【０００４】
ところで、このような冷蔵庫では、ダクト内において霜付き（露付き）が発生した時に生じる落水は、ダクトの下部に配置されているダンパユニットへ直接流れて付いてしまう。このため、落水が、ダンパユニットの開閉板と、この開閉板を開閉するための駆動用モータに侵入して、このモータを痛めてしまうおそれがある。
【０００５】
しかも、落水がダンパユニットへ直接流れて付いてしまうことで冷却器の冷気が開閉板とモータに着いた水を氷結するのを抑制して、開閉板の開閉動作の確保をするために、氷結防止ヒータに対して供給すべき電力がより多く必要となり、無駄な電力を消費してしまっている。
【０００６】
本発明は、上記に鑑みてなされたもので、その目的とするところは、ダンパユニットが氷結することにより開閉動作不良になるのを防いで、ダンパユニットを暖めるためのヒータの消費電力量を抑えることができる冷蔵庫を提供することにある。
【課題を解決するための手段】
【０００７】
本発明の実施の形態の冷蔵庫は、冷蔵庫本体の冷蔵室と冷凍室の冷却を切り替えるダンパユニットを有し、前記冷蔵庫内のダクト内の温度差により露付きが発生して上側から下側へ落水した時の水の流れを誘導するためのガイド部を、前記ダクトに設けたことを要旨とする。
【図面の簡単な説明】
【０００８】
【図１】本発明の実施形態に係わる冷蔵庫の全体を示す斜視図である。
【図２】図１に示す冷蔵庫の本体の内部における冷気の循環経路の例を矢印で示す図である。
【図３】図２に示す冷気吹出しダクトと、ダンパユニット等を示す断面を有する斜視図である。
【図４】図３に示す冷気吹出しダクトと、ダンパユニット等を、矢印Ｙ１方向から見た図である。
【図５】図４に示す冷気吹出しダクトとダンパユニットと、冷却器を示す図である。
【図６】図５に示す冷気吹出しダクトの上部流路と下部流路を含む領域Ｍを、拡大して示す図である。
【発明を実施するための形態】
【０００９】
以下、図面を用いて、本発明の実施するための形態（以下、実施形態と称する）を説明する。
【００１０】
図１は、本発明の実施形態に係わる冷蔵庫１の全体を示す斜視図である。
【００１１】
図１に示す冷蔵庫１は、本体２を有している。この本体２の最上部の位置には、両開き式の左右の観音扉（回転扉）３，４で開閉される冷蔵室５を設けられている。これらの観音扉３，４は、それぞれ本体２の回転軸３Ａ，４Ａを中心にして開閉可能に取り付けられている。
【００１２】
図１に示す冷蔵室５の下側には、引出し式扉７ａで開閉される野菜室７が設けられている。この野菜室７の下側には、製氷室８と上部冷凍室９が横方向に並んで設けられている。製氷室８は引出し式扉８ａで開閉され、上部冷凍室９は引出し式扉９ａで開閉される。
【００１３】
図１に示す本体２の最下部であって、これらの製氷室８と上部冷凍室９の下側には、主冷凍室１０が設けられている。主冷凍室１０は引出し式扉１０ａで開閉される。観音扉３，４の下部には、それぞれ指を掛けるための凹状の取っ手３ｂ，４ｂが扉内部に設けられている。引出し式扉７ａ、８ａ、９ａ、１０ａの上部には、それぞれ指を掛けるための凹状の取っ手７ｂ、８ｂ、９ｂ、１０ｂが設けられている。
【００１４】
このように、図１に示す冷蔵庫１の本体２のレイアウトとしては、最も上段には冷蔵室５が配置され、この冷蔵室５の下部には野菜室７が配置され、さらにこの野菜室７の下部には製氷室８と上部冷凍室９が配置され、しかも製氷室８と上部冷凍室９の下部には主冷凍室１０が配置されている。これらの製氷室８と上部冷凍室９と主冷凍室１０は、冷凍室ゾーンＦＺを構成している。
【００１５】
図２は、図１に示す冷蔵庫１の本体２の内部における冷気の循環経路例を矢印で示している。
【００１６】
図２に示す冷凍室ゾーンＦＺには、冷却器２０が配置されている。この冷蔵庫１は、例えば冷蔵室５の冷却と、野菜室７の冷却と、冷凍室ゾーンＦＺの冷却を、１台のエバポレータにより冷却されて得られる冷気を用いて行う１エバポレータタイプの冷蔵庫である。冷却器２０と図示しない送風機は、最下段の冷凍室ゾーンＦＺの後方位置に配置されている。冷却器で作り出される冷気とは、低温の空気である。
【００１７】
図２に示すように、本体２は、冷気吹出しダクト（庫内ダクトともいう）１００を有している。この冷気吹出しダクト１００の下部には、ダンパユニット７０が配置されている。このダンパユニット７０の下部には、冷却器２０が配置されている。冷却器２０は、冷凍室ゾーンＦＺの背部に配置されている。
【００１８】
図２に示す冷気吹出しダクト１００は、冷却器２０で作り出される冷気を、図示しない送風機の動作により矢印Ｐ１で示すように上昇させて、矢印Ｐ２で示すように最上段の冷蔵室５の収容室に吹き出すようになっている。冷蔵室５の収容室に送られた冷気は、その後野菜室７の収容室を通過して、冷却器２０側へ戻すことができる。冷蔵室５へ冷気を送るための制御は、冷蔵温度センサにより得られる冷蔵室内の冷蔵室温度に従って、ダンパユニット７０の開閉板を開閉することにより行うことができる。
【００１９】
さらに、本体２は、図示しない冷凍室冷却ダクトを有している。この冷凍室冷却ダクトは、冷却器で作り出される冷気を、送風機の動作により矢印Ｐ３で示すように、冷凍室ゾーンＦＺの収容室に吹き出し、そして矢印Ｐ４で示すように、冷凍室ゾーンＦＺの収容室内から冷却器２０側へ戻すことができる。冷凍室ゾーンＦＺへ冷気を送るための制御は、冷凍温度センサにより得られる冷凍室ゾーンＦＺ内の冷凍室温度に従って、図示しない冷凍室用ダンパユニットの開閉板を開閉することにより行うことができる。
【００２０】
図３は、図２に示す冷気吹出しダクト１００と、ダンパユニット７０等を示す断面を有する斜視図である。
【００２１】
図３に示すダンパユニット７０は、図２に示す冷蔵室５の冷却と、冷凍室ゾーンＦＺの製氷室８と上部冷凍室９と主冷凍室１０の冷却とを切り替えるために、冷気吹出しダクト１００に配置されている。ダンパユニット７０の開閉板８３を開けると、図２の冷蔵室５の収容室への冷気の送風を制御できる。
【００２２】
この断熱壁９５は、例えばＥＰＳ（発泡スチロール）により作られており、冷却器２０が配置されている室よりも上部にあり、冷蔵室５と野菜室７と冷凍室ゾーンＦＺを仕切る部材である。ダンパユニット７０の周囲には、加熱用のダンパヒータ７１が配置されている。このダンパヒータ７１は、冷却器の冷気が開閉板（開閉板）８３と開閉板の駆動部８１に着いた水を氷結してしまうのを防ぐために、ダンパユニット７０を暖めるために設けられている。
【００２３】
図２の冷却器２０で作り出される冷気は、送風機の動作により、開閉板８３が開いた状態のダンパユニット７０を通って矢印Ｐ１で示すように送られる。そして、冷気は図２に示す矢印Ｐ２で示すように、冷蔵室５の収容室内に供給されるようになっている。
【００２４】
図３に示すように、ダンパユニット７０は、断熱材９５の冷気吹出しダクト１００の下部に、はめ込むことで固定されている。このダンパユニット７０は、直方体形状の駆動部８１と、ほぼ長方形状のフレーム８２と、長方形状の開閉板８３を有している。駆動部８１内には、モータと、モータの出力軸の回転を開閉板８３の回転に変えるためのギア等の駆動機構を収容している。開閉板８３の一端部は、フレーム８２の軸部８５を中心として、回転中心Ｎを中心に冷気の下流側（矢印Ｐ１方向、上方向）に向けて回動自在に保持されている。
【００２５】
これにより、駆動部８１の駆動モータを駆動することで、開閉板８３は、図３に示すように、冷蔵用冷気の冷気吹出しダクト１００を閉じた状態８３Ｃから、Ｑ１方向に９０度回転して直立させることで、実線で示すように冷気吹出しダクト１００を開いた状態にすることができる。また、開閉板８３は、逆に図３に示すように冷気吹出しダクト１００を開いた状態から、Ｑ２方向に９０度回転することで冷気吹出しダクト１００を閉じた状態に戻すことができる。このように、開閉板８３は、全閉状態か全開状態のいずれかである。なお、開閉板８３は、バッフルとも言う。図３に示すように、回転中心Ｎは、左右方向のＸ方向に平行であり、冷蔵庫の奥行き方向はＹ方向で示し、冷蔵庫の上下方向はＺ方向である。
【００２６】
図４は、図３に示す冷気吹出しダクト１００と、ダンパユニット７０等を、矢印Ｙ１方向から見た図である。図５は、図４に示す冷気吹出しダクト１００とダンパユニット７０と、冷却器２０を示している。図６は、図５に示す冷気吹出しダクト１００の上部流路１２１と下部流路１２２を含む領域Ｍを、拡大して示す図である。
【００２７】
まず、図４を参照して、冷気吹出しダクト１００の構造例を説明する。冷気吹出しダクト１００は、冷蔵庫１の本体２の背部内に配置され、冷気吹出しダクト１００は、第１側壁部１１１と、第２側壁部１１２と、内壁部１１３により形成されており、図２に示す冷却器２０側で作られた冷気を、図２に示す冷蔵室側に案内する。
【００２８】
第１側壁部１１１の上面縁には帯状の断熱材１１１Ｄが配置され、第２側壁部１１２の上面縁には帯状の断熱材１１２Ｄが配置されている。冷気吹出しダクト１００は、好ましくは形状を維持するためのプラスチック製のケース体と、このケース体の内側に配置された断熱材料、例えばＥＰＳ（発泡スチロール）とにより構成されている。この断熱材料は、第１側壁部１１１と第２側壁部１１２と内壁部１１３を有している。
【００２９】
図４において、この冷気吹出しダクト１００は、Ｚ方向に沿ってほぼ上下方向に配置されている。冷気吹出しダクト１００の内壁部１１３の上部位置には、冷蔵室に通じる吹出し口１０１が形成されている。図５に示す冷却器２０側で作られた冷気は、開閉板の開いているダンパユニット７０を通って、冷気吹出しダクト１００により矢印Ｐ１方向（上方向）に案内される。そして、矢印Ｐ１方向に案内された冷気は、この吹出し口１０１を通じて、図２に示す冷蔵室５の収容室内に吹き出すようになっている。
【００３０】
図４に示すように、冷気吹出しダクト１００は、上部流路１２１と、この上部流路１２１に通じる下部流路１２２を有している。上部流路１２１は、ほぼＺ方向に形成された直線状の流路であるが、下部流路１２２は、ほぼＳ字型に形成された曲線状の流路である。上部流路１２１の上部位置には、吹出し口１０１が形成されている。下部流路１２２の下端部には、ダンパユニット７０が配置されている。
【００３１】
図４に示すように、下部流路１２２には、ガイド部１３０が形成されている。このガイド部１３０は、冷気吹出しダクト１００内の温度差により露付きが発生して上側から下側へ落水した時の水の流れを、下方に誘導する際に、水がダンパユニット７０の直接落下しないようにするために設けられている。このガイド部１３０は、好ましくはリブ状の第１ガイド突出部１３１と、リブ状の第２ガイド突出部１３２により構成されている。
【００３２】
図４と図５に示すリブ状の第１ガイド突出部１３１は、上述したように「露付き」が発生して上側から下側へ、Ｚ１方向に落水した時の水の流れの方向を変えて誘導するために設けられた部分である。また、図４と図５に示すリブ状の第２ガイド突出部１３２は、第１ガイド突出部１３１により流れの方向を変えて誘導された水を、さらに斜め下方向に向きを変えて誘導する部分である。
【００３３】
これにより、露付きが発生して上側から下側へＺ１方向に落下する水（落水）は、第１ガイド突出部１３１と第２ガイド突出部１３２を設けることにより流れの向きを変えて誘導することで、落水が、図４と図５に示すようにダクトユニット７０と、ダクトユニット７０のさらに下にある冷却器２０に直接落下しないようになっている。
【００３４】
図４に示すように、第１ガイド突出部１３１と第２ガイド突出部１３２は、下部流路１２２の湾曲を始めている位置に形成されている。第１ガイド突出部１３１は、第２側壁部１１２の突出部分１４１において、流路の内部側へ突き出るように、すなわちＺ１方向とは交差する方向Ｇに突出して形成されている。なお、ガイド突出部１３１の先端部の形状は、尖っていても丸まっていても良い。
【００３５】
図４に示すように、第２ガイド突出部１３２は、内壁部１１３において、第１ガイド突出部１３１の付近であって、第１ガイド突出部１３１の下側に、突出して形成されている。この第２ガイド突出部１３２は、内壁部１１３において、図４において手前側に突出しており、しかもＸ方向に対して所定の角度θをもって左下がりの状態で、傾けて形成されている。これにより、落水は、第２ガイド突出部１３２から下部の水受け部１６０にスムーズに誘導することができる。
【００３６】
また、図４に示すように、水受け部１６０は、内壁部１１３において、下部流路１２２を形成している第１側壁部１１１の下部の位置であって、しかも第２ガイド突出部１３２の下部の位置に設けられている。この水受け部１６０は、第２ガイド突出部１３２により誘導された水を、第２ガイド突出部１３２の下側で受けて、受けた水を下部の排水経路１４０側に誘導することができる。
【００３７】
さらに、図４に示すように、冷気吹出しダクト１００の下部流路１２２には、排水経路１４０が、水受け部１３２の左側の位置に設けられている。水受け部１３２から導かれる水は、排水経路１４０を経て、冷気吹出しダクト１００の外部に排出されるようになっている。これより、水が図５に示すダンパユニット７０やその下の冷却器２０に着かないようになっており、水が冷気吹出しダクト１００の内部には残らないようにすることができる。
【００３８】
図５と図６に示すように、断熱材１１１Ｄの下部には、ダンパユニット７０の周囲において、透水性を有する断熱部材１５０が設けられている。断熱部材１５０は、連続気泡を有しているので、空気の入った各気泡がつながって連続しているので、気泡を通じて水を通すことができる。この透水性を有する断熱部材１５０を排水経路１４０に設けることで、透水性を有する断熱部材１５０に水を通すことができるので、水を冷気吹出しダクト１００の外部に確実に排出することができる。
【００３９】
なお、図５に示す断熱材１１１Ｄ、１１２Ｄは、独立気泡を有する断熱材であり、水を通さない構造を有している。独立気泡を有する断熱材１１１Ｄ、１１２Ｄは、空気の入った各気泡がつながっておらずに独立しているので、水を通さない。
【００４０】
図６において、冷気吹出しダクト１００の上部流路１２１側のＡ−Ａ線における流路断面の面積は、第１ガイド突出部１３１側におけるＢ−Ｂ線における流路断面の面積と同じになっている。すなわち、上部流路１２１側のＡ−Ａ線における流路断面のＸ方向の幅寸法が、第１ガイド突出部１３１側のＢ−Ｂ線における流路断面のＸ方向の幅寸法よりも大きくなっているが、上部流路１２１側のＡ−Ａ線における流路断面のＹ方向の奥行寸法（図６の垂直方向）は、第１ガイド突出部１３１側のＢ−Ｂ線における流路断面のＹ方向の奥行寸法（図６の垂直方向）に比べて小さくなっている。
【００４１】
これにより、上部流路１２１側のＡ−Ａ線における流路断面の面積は、ガイド突出部１３１側におけるＢ−Ｂ線における流路断面の面積と同じ（あるいは予め定めた値に一定化）にしているので、冷却器２０からの冷気が矢印Ｐ１方向に上昇する際に、冷気を送風する際の送風抵抗を均一化することで、冷気吹出しダクト１００は、冷気を円滑に送風することができる。
【００４２】
次に、上述した、冷蔵庫１の動作例を説明する。
【００４３】
図１と図２に示す冷蔵庫１の冷凍冷却運転と冷蔵冷却運転の切り替えは、図３に示すダンパユニット７０の開閉板８３の開閉により行う。開閉板８３を閉じている場合には、冷凍室ゾーンＦＺ側に冷気を送ることで冷凍冷却運転を行い、開閉板８３を開いている場合には、冷蔵室５側に冷気を送ることで冷蔵冷却運転を行うことができる。
【００４４】
図３に示すように、開閉板８３を開くと、冷却器２０側からの冷気は、図示しない送風機の動作により、矢印Ｐ１で示すように冷気吹出しダクト１００を通じて、吹出し口１０１を通って図２の冷蔵室５内に送られる。
【００４５】
この際に、図２に示す冷却器２０側の冷気の温度がマイナス２０℃前後であり、冷蔵室５の庫内温度が例えばプラス５℃前後に設定されている際の温度関係例は、次の通りである。冷蔵室５側の冷気吹出しダクト１００内の温度は、図３に示す開閉板８３が閉じて冷気が入ってこない場合には、プラス５℃前後であるが、開閉板８３が開いて冷気が入ってきている場合には、マイナス２０℃前後になる。このため、図３に示す開閉板８３の開閉時に生じる温度差により、図５に示すように、吹出し口１０１の付近では「霜付け」２００が発生する。「霜付け」２００が発生すると、図３に例示するように、落水が冷気吹出しダクト１００内で矢印Ｐ１０方向に生じる。
【００４６】
この落水は、図５に示すように、第２側壁部１１２の内壁１１２Ｎに沿って上部流路１２１から下部流路１２２側に向かい、図５と図６に示すように、落水の流れの向きがガイド部１３０のリブ状の第１ガイド突出部１３１により矢印Ｐ１１に沿って誘導される。そして、落水は、第１ガイド突出部１３１から第２ガイド突出部１３２により矢印Ｐ１２に沿って斜め下方に誘導される。これにより、「露付き」２００が発生して下方へ移動する落水の流れの向きは、ガイド部１３０の第１ガイド突出部１３１と第２ガイド突出部１３２により変えることで、水がダクトユニット７０と冷却器２０に落下しないようにすることができる。
【００４７】
そして、図５と図６に示すように、第２ガイド突出部１３２により矢印Ｐ１２に沿って誘導された落水は、矢印Ｐ１３、Ｐ１４、Ｐ１５に沿って水受け部１６０に落下する。これにより、落水は、ダンパユニット７０や冷却器２０に落下して着いてしまうのを、確実に防ぐことができる。
【００４８】
水受け部１６０で受けた落水は、水受け部１６０から排水経路１４０の透水性の断熱材１５０を通じて、矢印Ｐ１６のように冷気吹出しダクト１００の外部に排出することができる。
【００４９】
上述した本発明の実施形態の冷蔵庫１は、冷蔵庫１の本体２の冷蔵室５と冷凍室の冷却を切り替えるダンパユニット７０を有し、冷蔵庫１内のダクトである冷気吹出しダクト１００内の温度差により露付きが発生して上側から下側へ落水した時の水の流れを誘導するためのガイド部１３０を、冷気吹出しダクト１００に設けている。
【００５０】
これにより、冷気吹出しダクト１００内より落水した水分は、直接ダンパユニットにかからないために、ダンパユニット７０が氷結したことによる開閉板８３の開閉不良を防ぐことができる。このため、ダンパユニット７０を加熱する氷結防止ヒータ７１には大きな電力を供給する必要な無く、氷結防止ヒータ７１の消費電力量を抑えることができ、ヒータの消費電力量を上げることなく冷蔵庫の冷却能力を確保できる。すなわち、ダンパユニットが氷結することにより開閉動作不良になるのを防いで、ダンパユニットを暖めるためのヒータの消費電力量を抑えることができる。
【００５１】
冷気吹出しダクト１００は、ガイド部１３０により誘導された水を受け取るための水受け部１６０を有する。これにより、冷気吹出しダクト１００内より落水した水分は、ダンパユニット７０には直接かからずに水受け部１６０に受けて貯めるので、ダンパユニット７０が氷結したことによる開閉板８３の開閉不良を防ぐことができる。このため、ダンパユニット７０を加熱する氷結防止ヒータ７１には大きな電力を供給する必要な無く、氷結防止ヒータ７１の消費電力量を抑えることができ、ヒータの消費電力量を上げることなく冷蔵庫の冷却能力を確保できる。
【００５２】
冷気吹出しダクト１００は、水受け部１６０からの水を排水する排水経路１４０を有する。これにより、冷気吹出しダクト１００内より落水した水分は、ダンパユニット７０には直接かからずに、水受け部１６０から排水経路（排水ルート）１４０に流れて蒸発するために、ダンパユニット７０が氷結したことによる開閉板８３の開閉不良を防ぐことができる。このため、ダンパユニット７０を加熱する氷結防止ヒータ７１には大きな電力を供給する必要な無く、氷結防止ヒータ７１の消費電力量を抑えることができ、ヒータの消費電力量を上げることなく冷蔵庫の冷却能力を確保できる。
【００５３】
排水経路１４０を経て水が冷気吹出しダクト１００の外部に排出されるようになっているので、水が冷気吹出しダクト１００内に残ることが無く、確実に外部に排出できる。
【００５４】
冷気吹出しダクト１００には、ダンパユニット７０の上方の位置に、冷気を冷蔵室５内に吹き出すための吹出し口１０１が設けられている。これにより、例えば冷蔵室内でこぼしたジュース等の液体がこの吹出し口からダクト１００を通じてダンパユニット７０に入ってくるのを防ぐことができる。
【００５５】
冷気を作るための冷却器２０が、ダンパユニット７０の下側に配置されているので、落水による水が、ダンパユニット７０だけでなく、冷却器２０に着水するのを防ぐことができる。
【００５６】
冷気吹出しダクト１００におけるガイド部１３０の領域での流路面積は、冷気吹出しダクト１００におけるガイド部１３０の領域の上側の領域での流路面積と同じである。これにより、冷却器２０からの冷気を送風する際の送風抵抗を均一化することで、冷気を円滑に送風することができる。
【００５７】
ダンパユニットの周囲の排水経路には、連続気泡を有する透水性の断熱材が配置されている。これにより、排水経路における冷気吹出しダクト１００の断熱性を確保しながら、排水経路での水の排水を透水性の断熱材を通じて確実に行うことができる。
【００５８】
以上、本発明の実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５９】
本発明の各実施形態は、任意に組み合わせて用いることができる。また、図１に示す冷蔵庫１の構造は、一例であり、任意の構造を採用することができる。
【００６０】
図示例の冷蔵庫１は、１台のエバポレータに冷却された冷気を用いて行う１エバポレータタイプの冷蔵庫であるが、これに限らず、他の形式の冷蔵庫であっても良い。
【符号の説明】
【００６１】
１      冷蔵庫
２      冷蔵庫の本体
５      冷蔵室
７      野菜室
８      製氷室
９      上冷凍室
１０    主冷凍室
２０    冷却器
７０    ダンパユニット
８３    開閉板（ダンパ板）
１００  冷気吹出しダクト（ダクトの一例）
１３０  ガイド部
１３１  第１ガイド突出部
１３２  第２ガイド突出部
１４０  排水経路
１５０  断熱部材
１６０  水受け部
ＦＺ    冷凍室ゾーン
【図１】
2014137150.tif 000003
【図２】
2014137150.tif 000004
【図３】
2014137150.tif 000005
【図４】
2014137150.tif 000006
【図５】
2014137150.tif 000007
【図６】
2014137150.tif 000008